(57)【要約】【課題】専用の洗浄装置を設けることなく、ノズルの全長を洗浄可能としてノズルの清潔性を保つ。【解決手段】洗浄水を噴出して人体の局部洗浄を行う２本のノズルが横並びに設けられた洗浄便座装置は、ノズルをそれぞれ進退移動させる駆動部と、２本のノズルの上方の少なくとも一部の範囲を覆うことが可能な覆い部材と、２本のノズルのうち一方のノズルを移動させながら、他方のノズルから覆い部材に向けて噴出させて覆い部材で跳ね返った洗浄水で一方のノズルを洗浄するノズル洗浄を行うように、２本のノズルと駆動部とを制御する制御装置と、を備えるものである。【選択図】図６
2019143446.tif 000002
【特許請求の範囲】
【請求項１】
洗浄水を噴出して人体の局部洗浄を行う２本のノズルが横並びに設けられた洗浄便座装置であって、
前記ノズルをそれぞれ進退移動させる駆動部と、
前記２本のノズルの上方の少なくとも一部の範囲を覆うことが可能な覆い部材と、
前記２本のノズルのうち一方のノズルを移動させながら、他方のノズルから噴出させて前記覆い部材で跳ね返った洗浄水で前記一方のノズルを洗浄するノズル洗浄を行うように、前記２本のノズルと前記駆動部とを制御する制御装置と、
を備える洗浄便座装置。
【請求項２】
請求項１に記載の洗浄便座装置であって、
前記覆い部材は、前記一方のノズルの上方から前記他方のノズルの上方に亘る範囲を覆うことが可能であって、前記２本のノズルの並びの方向に沿って凹状に湾曲した湾曲面を下面に有する
洗浄便座装置。
【請求項３】
請求項１または２に記載の洗浄便座装置であって、
前記２本のノズルが退避位置にあるときに前記ノズルの進退移動方向における前方を覆う閉状態となり、前記ノズルが前方の所定位置まで移動すると前記ノズルの上方を覆う開状態となる開閉式のシャッター部材を備え、
前記制御装置は、前記他方のノズルが前記所定位置まで移動するように前記駆動部を制御し、開状態とした前記シャッター部材を前記覆い部材として機能させて、前記ノズル洗浄を行う
洗浄便座装置。
【請求項４】
請求項３に記載の洗浄便座装置であって、
前記制御装置は、前記一方のノズルによる局部洗浄が開始される際に、前記他方のノズルを前記所定位置として洗浄水を噴出させながら前記一方のノズルを前記退避位置から局部洗浄位置まで移動させることで、前記ノズル洗浄を行う
洗浄便座装置。
【請求項５】
請求項３または４に記載の洗浄便座装置であって、
前記制御装置は、前記一方のノズルによる局部洗浄が終了した際に、前記他方のノズルを前記所定位置として洗浄水を噴出させながら前記一方のノズルを局部洗浄位置から前記退避位置まで移動させることで、前記ノズル洗浄を行う
洗浄便座装置。
【発明の詳細な説明】
【技術分野】
【０００１】
本発明は、洗浄便座装置に関する。
【背景技術】
【０００２】
従来、この種の洗浄便座装置としては、人体の局部に向けて洗浄水を噴出する噴出孔が先端部に形成されたノズルと、ノズルを進退移動させる駆動手段と、ノズルの進退移動に伴って開閉するシャッターと、を備えるものが提案されている（例えば、特許文献１参照）。この洗浄便座装置では、ノズルの噴出孔から噴出された洗浄水を跳ね返す跳ね返し部がシャッターの裏面に設けられており、ノズルを進出させる際には、当該ノズルの噴出孔からシャッターの跳ね返し部に向けて洗浄水を噴出することで、跳ね返った洗浄水により当該ノズルを洗浄するものとしている。
【先行技術文献】
【特許文献】
【０００３】
【特許文献１】特開２０１３−２８９０２号公報
【発明の概要】
【発明が解決しようとする課題】
【０００４】
上述した洗浄便座装置では、進出しているノズルから噴出して跳ね返った洗浄水により当該ノズルを洗浄するため、洗浄できる範囲が当該ノズルの先端部に限られることになる。このため、ノズルの全長を洗浄することができず、十分な洗浄効果が得られないものとなる。このような洗浄便座装置では、近年の使用者の意識の変化によりノズルの清潔性に対する要求が高まっているから、全長を洗浄することが望ましい。一方で、ノズルの全長を洗浄するために、専用の洗浄装置を追加することも考えられるが、部品点数が増加して構成が複雑となるだけでなくコストの増加を招いてしまう。
【０００５】
本発明は、専用の洗浄装置を設けることなく、ノズルの全長を洗浄可能としてノズルの清潔性を保つことを主目的とする。
【課題を解決するための手段】
【０００６】
本発明は、上述の主目的を達成するために以下の手段を採った。
【０００７】
本発明の洗浄便座装置は、洗浄水を噴出して人体の局部洗浄を行う２本のノズルが横並びに設けられた洗浄便座装置であって、前記ノズルをそれぞれ進退移動させる駆動部と、前記２本のノズルの上方の少なくとも一部の範囲を覆うことが可能な覆い部材と、前記２本のノズルのうち一方のノズルを移動させながら、他方のノズルから噴出させて前記覆い部材で跳ね返った洗浄水で前記一方のノズルを洗浄するノズル洗浄を行うように、前記２本のノズルと前記駆動部とを制御する制御装置と、を備えることを要旨とする。
【０００８】
本発明の洗浄便座装置では、一方のノズルを移動させながら、他方のノズルから覆い部材に向けて噴出させて覆い部材で跳ね返った洗浄水で一方のノズルを洗浄するノズル洗浄を行う。これにより、２本のノズルを相互に用いてノズル洗浄を行うことで、各ノズルを全長に亘って洗浄することができる。したがって、専用の洗浄装置を設けることなく、ノズルの全長を洗浄可能としてノズルの清潔性を保つことができる。
【０００９】
本発明の洗浄便座装置において、前記覆い部材は、前記一方のノズルの上方から前記他方のノズルの上方に亘る範囲を覆うことが可能であって、前記２本のノズルの並びの方向に沿って凹状に湾曲した湾曲面を下面に有するものとしてもよい。こうすれば、他方のノズルから覆い部材に向けて噴出させた洗浄水を、一方のノズル側に跳ね返りやすくして、一方のノズルを効率よく洗浄することができる。
【００１０】
本発明の洗浄便座装置において、前記２本のノズルが退避位置にあるときに前記ノズルの進退移動方向における前方を覆う閉状態となり、前記ノズルが前方の所定位置まで移動すると前記ノズルの上方を覆う開状態となる開閉式のシャッター部材を備え、前記制御装置は、前記他方のノズルが前記所定位置まで移動するように前記駆動部を制御し、開状態とした前記シャッター部材を前記覆い部材として機能させて、前記ノズル洗浄を行うものとしてもよい。こうすれば、専用の覆い部材を設けることなく、シャッター部材を用いてノズル洗浄を行うことができるから、ノズル洗浄を行うために部品点数が増加するのを抑制することができる。
【００１１】
本発明の洗浄便座装置において、前記制御装置は、前記一方のノズルによる局部洗浄が開始される際に、前記他方のノズルを前記所定位置として洗浄水を噴出させながら前記一方のノズルを前記退避位置から局部洗浄位置まで移動させることで、前記ノズル洗浄を行うものとしてもよい。こうすれば、局部洗浄が開始される際に、局部洗浄を行うノズルの全長を洗浄することができるから、使用者がノズルの衛生面に不安を感じるのを抑えることができる。また、ノズルの外表面を濡らして局部洗浄中にノズルに付着する汚れを落ちやすくすることができる。
【００１２】
本発明の洗浄便座装置において、前記制御装置は、前記一方のノズルによる局部洗浄が終了した際に、前記他方のノズルを前記所定位置として洗浄水を噴出させながら前記一方のノズルを局部洗浄位置から前記退避位置まで移動させることで、前記ノズル洗浄を行うものとしてもよい。こうすれば、局部洗浄が終了した際に、局部洗浄を行ったノズルの全長を洗浄することができるから、局部洗浄中にノズルに汚れが付着した場合でもその汚れが固着する前に速やかに除去することができる。
【図面の簡単な説明】
【００１３】
【図１】洗浄便座装置１０が取り付けられた便器１の外観斜視図である。
【図２】ノズルユニット２０を有する洗浄便座装置１０の主要構成図である。
【図３】ノズルとシャッター３５との位置関係を示す説明図である。
【図４】ノズルユニット作動処理の一例を示すフローチャートである。
【図５】ノズルユニット作動処理時のタイムチャートの一例である。
【図６】ノズル洗浄の様子を示す説明図である。
【発明を実施するための形態】
【００１４】
次に、本発明を実施するための形態について説明する。
【００１５】
図１は洗浄便座装置１０が取り付けられた便器１の外観斜視図であり、図２はノズルユニット２０を有する洗浄便座装置１０の主要構成図であり、図３はノズルとシャッター３５との位置関係を示す説明図である。本実施形態において、左右方向、前後方向及び上下方向は、図１〜図３に示す通りとする。
【００１６】
便器１は、洋式便器であり、便器１の上面に洗浄便座装置１０が設置されている。洗浄便座装置１０は、図１に示すように、便器１の後方に設置される便座装置本体１１と、便座装置本体１１に回動自在に支持された便座１２と、便座装置本体１１に回動自在に支持された便蓋１３と、使用者により操作される操作パネル１４と、を備える。
【００１７】
便座装置本体１１は、図２に示すように、人体の局部に洗浄水を噴出するノズルを有するノズルユニット２０と、洗浄便座装置１０全体を制御する制御装置４０と、を備える。ノズルユニット２０は、脈動ポンプ２２と、流路切替（流量調整）バルブ２４と、左右方向に横並びに配置された２本のノズルとしてのおしり洗浄ノズル２６およびビデ洗浄ノズル２８（図３参照）と、おしり洗浄ノズル駆動部２７およびビデ洗浄ノズル駆動部２９と、を備える。脈動ポンプ２２は、給水管（水道配管）に接続された給水路や止水弁、熱交換ユニットを通った洗浄水をモータ２２ａの駆動により脈動させるものである。流路切替バルブ２４は、脈動ポンプ２２から出力された洗浄水をモータ２４ａの駆動により洗浄水の流量を調整しながら流路を切り替えるものである。
【００１８】
おしり洗浄ノズル２６とビデ洗浄ノズル２８は、内部に洗浄水の流路が設けられた単段式の軸状ノズル部材である。おしり洗浄ノズル２６は、図２に示すように、先端部のノズル孔形成面２６ａに２種類のノズル孔２６ｂ，２６ｃが形成されている。ノズル孔２６ｂは、通常のおしり洗浄に用いられるものであり、ノズル孔２６ｃは、ノズル孔２６ｂよりも勢いの弱い洗浄水を噴出してマイルドな洗浄感を与えるマイルド洗浄に用いられるものである。ビデ洗浄ノズル２８は、図３に示すように、先端部のノズル孔形成面２８ａに１種類のノズル孔２８ａが形成されている。
【００１９】
おしり洗浄ノズル駆動部２７は、モータ２７ａの駆動によりおしり洗浄ノズル２６を進退移動させるものである。おしり洗浄ノズル駆動部２７は、図示は省略するが、モータ２７ａの駆動により回転するピニオンギヤと、ピニオンギヤに噛み合うと共におしり洗浄ノズル２６に先端部が接続されピニオンギヤの回転に伴って移動可能なラック（フレキシブルラック）などを備える。ビデ洗浄ノズル駆動部２９は、モータ２９ａの駆動によりビデ洗浄ノズル２８を進退移動させるものであり、おしり洗浄ノズル駆動部２７と同様の構成を備える。なお、おしり洗浄ノズル駆動部２７やビデ洗浄ノズル駆動部２９の各モータ２７ａ，２９ａの回転量や図示しない位置センサなどから、おしり洗浄ノズル２６やビデ洗浄ノズル２８の位置を検出可能である。
【００２０】
また、ノズルユニット２０は、この他に、おしり洗浄ノズル２６とビデ洗浄ノズル２８を収容してノズル全体を覆うノズルカバー３０と、ノズルカバー３０の前方を覆う可動式のシャッター３５と、を備える。シャッター３５は、左右に延びる平板状部材であり、上辺側に設けられた図示しない回動軸回りに回動するように構成されている。シャッター３５は、図示しない閉状態でノズルカバー３０の前方即ちおしり洗浄ノズル２６やビデ洗浄ノズル２８の先端面を覆う。これにより、おしり洗浄ノズル２６やビデ洗浄ノズル２８、更にはその周辺部の汚れを抑制したり、両者を隠して美観を維持したりすることが可能となる。また、おしり洗浄ノズル駆動部２７の駆動によりおしり洗浄ノズル２６が進出したりビデ洗浄ノズル駆動部２９の駆動によりビデ洗浄ノズル２８が進出したりすると、進出したノズル（図２ではおしり洗浄ノズル２６）に裏面が押されて回動軸回りに回動して開状態となる。なお、シャッター３５は、図示しないスプリングによって閉方向に付勢されており、おしり洗浄ノズル２６とビデ洗浄ノズル２８がノズルカバー３０内に収容されると、スプリングの付勢力により閉状態となる。
【００２１】
また、図３は、シャッター３５が開状態でおしり洗浄ノズル２６の上方およびビデ洗浄ノズル２８の上方を覆う状態を示す。シャッター３５は、開状態の下面（裏面）に、左右方向即ちノズルの並び方向に沿って凹状に湾曲した湾曲面３６を有する。また、おしり洗浄ノズル２６とビデ洗浄ノズル２８は、それぞれのノズル孔から人体の局部に向けて洗浄水が噴出されるように、ノズル孔が形成されたノズル孔形成面２６ａ，２６ｂが互いに向き合う方向（内向き方向）に軸回りに若干傾いた状態でノズルユニット２０に取り付けられている。
【００２２】
制御装置４０は、図示は省略するが、ＣＰＵを中心とするマイクロコンピュータとして構成されており、ＣＰＵの他にＲＯＭやＲＡＭ，入出力ポートなどを備える。制御装置４０には、図２に示すように、操作パネル１４からの操作信号や着座センサ１５からの検知信号などが入力ポートを介して入力される。また、制御装置４０からは、脈動ポンプ２２のモータ２２ａへの駆動信号，流路切替バルブ２４のモータ２４ａへの駆動信号（切替信号），おしり洗浄ノズル駆動部２７のモータ２７ａへの駆動信号、ビデ洗浄ノズル駆動部２９のモータ２９ａへの駆動信号などが出力ポートを介して出力される。なお、流路切替バルブ２４のモータ２４ａへの駆動信号は、おしり洗浄ノズル２６のノズル孔２６ｂへの供給流路に繋がるおしりポジションと、おしり洗浄ノズル２６のノズル孔２６ｃへの供給流路に繋がるマイルドポジションと、ビデ洗浄ノズル２８のノズル孔２８ｂへの供給流路に繋がるビデポジションと、いずれのノズル孔にも繋がらないホームポジションと、のいずれかのポジションに流路切替バルブ２４を切り替えるためのものである。なお、操作パネル１４には、通常のおしり洗浄を指示するおしり洗浄スイッチや通常よりもマイルドなおしり洗浄であるマイルド洗浄を指示するマイルド洗浄スイッチ、ビデ洗浄を指示するビデ洗浄スイッチ、洗浄の強さを調整する洗浄強さ調整スイッチ、洗浄の停止などを指示する停止スイッチなどが設けられている。
【００２３】
次に、こうして構成された洗浄便座装置１０のノズルユニット２０の動作について説明する。図４はノズルユニット作動処理の一例を示すフローチャートである。制御装置４０は、着座センサ１５により使用者の便座１２への着座を判定した場合に、この処理を実行する。なお、図示は省略するが、制御装置４０は、着座センサ１５により使用者の着座が検知されなくなった場合などにこの処理を終了する。また、図５はノズルユニット作動処理時のタイムチャートの一例であり、図４のフローチャートと合わせて説明する。
【００２４】
図４のノズルユニット作動処理では、制御装置４０は、まず、局部洗浄の開始が指示されるのを待つ（Ｓ１００）。Ｓ１００の判定は、着座センサ１５からの検知信号により使用者が便座１２に着座していると判定している状態で、操作パネル１４からの操作信号によりおしり洗浄スイッチやマイルド洗浄スイッチ、ビデ洗浄スイッチのいずれかが操作されたか否かに基づいて行われる。制御装置４０は、Ｓ１００で局部洗浄の開始が指示されたと判定すると、２本のノズルのうち指示された局部洗浄に使用される一方のノズル（使用ノズルという）とは別の他方のノズル（別ノズルという）の駆動部を制御して収容位置からノズル洗浄位置へ移動させ（Ｓ１１０）、流路切替バルブ２４をホームポジションから別ノズルのノズル孔への供給流路に繋がるポジションに切り替えて（Ｓ１２０）、ノズル洗浄準備が完了するのを待つ（Ｓ１３０）。Ｓ１３０のノズル洗浄準備は、流路切替バブル２４のポジションが切り替わり且つ別ノズルがノズル洗浄位置に到達したことにより完了する。
【００２５】
ここで、ノズル洗浄位置は、収容位置と局部洗浄位置との間の位置であり、別ノズルがシャッター３５を押し上げて開状態を保持しつつ別ノズルのノズル孔がシャッター３５に覆われる位置である。また、図５では、時刻Ｔ０でおしり洗浄が指示された場合を例示している。この例のようにおしり洗浄スイッチが操作された場合や、マイルド洗浄スイッチが操作された場合には、おしり洗浄ノズル２６が使用ノズルとなりビデ洗浄ノズル２８が別ノズルとなるため、Ｓ１１０でビデ洗浄ノズル２８が移動する。一方、ビデ洗浄スイッチが操作された場合、ビデ洗浄ノズル２８が使用ノズルとなりおしり洗浄ノズル２６が別ノズルとなるため、Ｓ１１０でおしり洗浄ノズル２６が移動する。なお、別ノズルがおしりノズルの場合、流路切替バルブ２４をおしり洗浄用のノズル孔２６ｂへの供給流路に繋がるポジションに切り替えてもよいし、マイルド洗浄用のノズル孔２６ｃへの供給流路に繋がるポジションに切り替えてもよい。
【００２６】
制御装置４０は、Ｓ１３０でノズル洗浄準備が完了したと判定すると、脈動ポンプ２２の作動を開始して別ノズルから洗浄水を噴射させると共に（Ｓ１４０）、使用ノズルの駆動部を制御して使用ノズルを収容位置から局部洗浄位置へ移動させることで（Ｓ１５０）、使用ノズルの外表面を洗浄するノズル洗浄を開始する。なお、図５では、別ノズルをビデ洗浄ノズル２８とするから、時刻Ｔ１でビデ洗浄ノズル２８から洗浄水が噴射されると共におしり洗浄ノズル２６が移動を開始して、おしり洗浄ノズル２６のノズル洗浄が行われる。図６は、ノズル洗浄の様子を示す説明図である。別ノズルであるビデ洗浄ノズル２８は、ノズル洗浄位置でシャッター３５に覆われている状態でノズル孔２８ａから洗浄水を噴射するから、シャッター３５の下面で跳ね返った洗浄水を、使用ノズルであるおしり洗浄ノズル２６の外表面に掛けて洗浄することができる（図中矢印参照）。また、使用ノズルは局部洗浄位置に移動中であるから、使用ノズルの外表面を全長に亘って洗浄することができる。また、シャッター３５は下面に湾曲面３６を有しており、別ノズルから噴射された洗浄水を湾曲面３６に沿って隣接する使用ノズル側に跳ね返りやすくすることができるから、使用ノズルを効率よく洗浄することができる。
【００２７】
続いて、制御装置４０は、使用ノズルが局部洗浄位置へ到達するのを待つ（Ｓ１６０）。制御装置４０は、使用ノズルが局部洗浄位置へ到達したと判定すると（時刻Ｔ２）、使用ノズルのノズル孔への供給流路に繋がるポジションに流路切替バルブ２４を切り替えて局部洗浄を開始する（Ｓ１７０）。図５の例では、時刻Ｔ２でおしり洗浄用のポジションに流路切替バルブ２４を切り替え、切り替えが完了した時刻Ｔ３から局部洗浄（おしり洗浄）を開始する。そして、制御装置４０は、局部洗浄の停止が指示されるのを待つ（Ｓ１８０）。Ｓ１８０の判定は、操作パネル１４の停止スイッチが操作されたか否かに基づいて行われる。制御装置４０は、局部洗浄の停止が指示されたと判定すると（時刻Ｔ４）、再び別ノズル（ビデ洗浄ノズル２８）のノズル孔への供給流路に繋がるポジションに流路切替バルブ２４を切り替えて（Ｓ１９０）、今回の使用ノズルを局部洗浄位置から収容位置へ移動させることで（Ｓ２００）、再び使用ノズルのノズル洗浄を開始する（時刻Ｔ５）。このように、局部洗浄を終了して使用ノズルを収容する際にも、使用ノズルの外表面を全長に亘って洗浄するのである。
【００２８】
そして、制御装置４０は、使用ノズルがノズルカバー３０内の収容位置へ到達するのを待ち（Ｓ２１０）、使用ノズルが収容位置に到達したと判定すると（時刻Ｔ６）、脈動ポンプ２２の作動を停止し流路切替バルブ２４をホームポジションとすることで別ノズルからの洗浄水の噴射を停止してノズル洗浄を終了すると共に（Ｓ２２０）、別ノズルをノズル洗浄位置から収容位置へ移動させて（Ｓ２３０，時刻Ｔ８）、ノズルユニット作動処理を終了する。
【００２９】
以上説明した洗浄便座装置１０は、局部洗浄に使用される使用ノズルを移動させながら別ノズルからシャッター３５に向けて噴出させて跳ね返った洗浄水で使用ノズルを洗浄するノズル洗浄を行う。このため、２本のノズルを相互に用いてノズル洗浄を行うことで、専用の洗浄装置を設けることなくノズルを全長に亘って洗浄することができる。
【００３０】
また、シャッター３５は、おしり洗浄ノズル２６およびビデ洗浄ノズル２８の並びの方向に沿って凹状に湾曲した湾曲面３５ａを下面に有するから、別ノズルから噴出された洗浄水を使用ノズル側に跳ね返りやすくして使用ノズルを効率よく洗浄することができる。
【００３１】
また、洗浄便座装置１０は、局部洗浄が開始される際に、別ノズルをノズル洗浄位置（所定位置）として洗浄水を噴出させながら使用ノズルを収容位置（退避位置）から局部洗浄位置まで移動させることで、ノズル洗浄を行う。このため、局部洗浄が開始される際に使用ノズルの全長を洗浄することができるから、使用者がノズルの衛生面に不安を感じるのを抑えることができる。また、使用ノズルの外表面を濡らすことで局部洗浄中に使用ノズルに付着する汚れを落ちやすくすることができる。
【００３２】
また、洗浄便座装置１０は、局部洗浄が終了した際に、別ノズルをノズル洗浄位置（所定位置）として洗浄水を噴出させながら使用ノズルを局部洗浄位置から収容位置（退避位置）まで移動させることで、ノズル洗浄を行う。このため、局部洗浄中にノズルに汚れが付着した場合でもその汚れが固着する前に速やかに除去することができる。
【００３３】
上述した実施形態では、別ノズルからシャッター３５に洗浄水を噴出することで使用ノズルのノズル洗浄を行うものとしたが、これに限られず、シャッター３５以外に、おしり洗浄ノズル２６やビデ洗浄ノズル２８を覆う覆い部材を設けておき、その覆い部材に洗浄水を噴出することで使用ノズルのノズル洗浄を行うものとしてもよい。例えば、ノズルカバー３０やノズルカバー３０に取り付けられた部材などを用いてノズル洗浄を行うものなどとしてもよい。また、覆い部材は、おしり洗浄ノズル２６の上方からビデ洗浄ノズル２８の上方に亘って覆うものに限られず、おしり洗浄ノズル２６から噴出されて跳ね返った洗浄水をビデ洗浄ノズル２８に掛けることができ、ビデ洗浄ノズル２８から噴出されて跳ね返った洗浄水をおしり洗浄ノズル２６に掛けることができるように、２本のノズルの上方の少なくとも一部を覆うものであればよい。
【００３４】
実施形態では、シャッター３５が下面に湾曲面３６を有するものとしたが、これに限られず、湾曲面３６を有さず下面が平坦面であってもよい。このようにしても、２本のノズルは互いに向き合う方向に軸回りに傾いた状態で取り付けられているから、一方のノズルから噴出されてシャッター３５で跳ね返った洗浄水を他方のノズルに掛けることが可能である。
【００３５】
実施形態では、ノズルユニット作動処理において、局部洗浄を開始する際と局部洗浄を終了した際にノズル洗浄を行うものとしたが、これに限られず、局部洗浄を開始する際と局部洗浄を終了した際のいずれか一方でノズル洗浄を行うものとしてもよい。
【００３６】
実施形態では、制御装置４０が行うノズルユニット作動処理の中で局部洗浄を行う場合にノズル洗浄を行うものとしたが、これに限られるものではない。即ち、局部洗浄を行う場合以外にもノズル洗浄を行うものとしてもよい。このようにする場合、例えば、ノズル洗浄を行うためのスイッチを操作パネル１４に設けておき、使用者からの操作指示に基づいてノズル洗浄処理を行うものとしてもよい。このようにすれば、使用者は、おしり洗浄ノズル２６やビデ洗浄ノズル２８を交互に使用して、両ノズルの洗浄作業を行うことができる。
【００３７】
本実施形態の主要な要素と課題を解決するための手段の欄に記載した発明の主要な要素との対応関係について説明する。本実施形態では、おしり洗浄ノズル２６およびビデ洗浄ノズル２８が「２本のノズル」に相当し、おしり洗浄ノズル駆動部２７およびビデ洗浄ノズル駆動部２９が「駆動部」に相当し、シャッター３５が「覆い部材」および「シャッター部材」に相当し、図４のノズルユニット作動処理を行う制御装置４０が「制御装置」に相当する。また、湾曲面３６が「湾曲面」に相当する。
【００３８】
なお、本実施形態の主要な要素と課題を解決するための手段の欄に記載した発明の主要な要素との対応関係は、本実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、本実施形態は課題を解決するための手段の欄に記載した発明の具体的な一例に過ぎないものである。
【００３９】
以上、本発明を実施するための形態について説明したが、本発明はこうした実施形態に何等限定されるものではなく、本発明の要旨を逸脱しない範囲内において、種々なる形態で実施し得ることは勿論である。
【産業上の利用可能性】
【００４０】
本発明は、洗浄便座装置の製造産業などに利用可能である。
【符号の説明】
【００４１】
１  便器、１０  洗浄便座装置、１１  便座装置本体、１２  便座、１３  便蓋、１４  操作パネル、１５  着座センサ、２０  ノズルユニット、２２  脈動ポンプ、２２ａ，２４ａ，２７ａ，２９ａ  モータ、２４  流路切替バルブ、２６  おしり洗浄ノズル、２６ａ，２８ａ  ノズル孔形成面、２６ｂ，２６ｃ  ノズル孔、２７  おしり洗浄ノズル駆動部、２８  ビデ洗浄ノズル、２９  ビデ洗浄ノズル駆動部、３０  ノズルカバー、３５  シャッター、３６  湾曲面、４０  制御装置。
【図１】
2019143446.tif 000003
【図２】
2019143446.tif 000004
【図３】
2019143446.tif 000005
【図４】
2019143446.tif 000006
【図５】
2019143446.tif 000007
【図６】
2019143446.tif 000008